(57)【要約】【課題】ヒーターで加熱された乾燥風に外気を混入できるようにしながら、髪の吸い込みを確実に防止できるヘアードライヤーを提供する。【解決手段】本体ケース１にはファン９、モーター１０、ヒーターユニット１１などを収容する。本体ケース１は、内ケース１Ａと、内ケース１Ａに外嵌装着される外ケース１Ｂとで二重筒状に構成する。両ケース１Ａ・１Ｂ間に、外気導入通路２５を形成する。外気導入通路２５は、内ケース１Ａの周面に形成した内溝２６と、外ケース１Ｂに膨出形成されて内溝２６の外面を覆う外溝２７とで構成する。外気導入通路２５の出口３２は吹出し口７の周囲で開口する。外気導入通路２５の入口３１は、本体ケース１の前後方向中央部と吸込み口６との間で、吸込み口６から前方へ所定距離Ｌだけ離れた位置、つまりは吹出し口７から充分に離れ、しかも吸込み口６における吸い込み空気の影響を受けない位置に設けておく。【選択図】図１
2006051181.tif 000002
【特許請求の範囲】
【請求項１】
一端に吸込み口（６）が開口して他端に吹出し口（７）が開口している本体ケース（１）の内部に、ファン（９）と、ファン駆動用のモーター（１０）と、ヒーターユニット（１１）とが配されているヘアードライヤーであって、
本体ケース（１）の外面に、ファン（９）で生起した乾燥風のベンチュリー作用で外気を導入する外気導入通路（２５）が設けられ、外気導入通路（２５）の出口（３２）が吹出し口（７）の周囲に開口しており、
外気導入通路（２５）の入口（３１）が、本体ケース（１）の前後方向中央部と吸込み口（６）との間で、吸込み口（６）から前方へ少なくとも所定距離（Ｌ）だけ離れた位置に開口していることを特徴とするヘアードライヤー。
【請求項２】
本体ケース（１）が内ケース（１Ａ）と、内ケース（１Ａ）に外嵌装着される外ケース（１Ｂ）とで二重筒状に構成されており、
内ケース（１Ａ）と外ケース（１Ｂ）との間に、外気導入通路（２５）が形成されている請求項１記載のヘアードライヤー。
【請求項３】
吹出し口（７）へ向かって先すぼまり状に形成した内ケース（１Ａ）の周面に、出口（３２）へ向かって凹み深さが増加する内溝（２６）が形成されており、
入口（３１）から出口（３２）の近傍にわたって、内溝（２６）の外面を覆う外溝（２７）が外ケース（１Ｂ）に膨出形成されており、
入口（３１）から出口（３２）に到る外気導入通路（２５）の断面積が、ほぼ同じに設定してある請求項２記載のヘアードライヤー。
【請求項４】
内ケース（１Ａ）に透明の外ケース（１Ｂ）が外嵌装着されており、
内ケース（１Ａ）と外ケース（１Ｂ）との嵌合面に装飾シート（３７）が介装されている請求項２または３記載のヘアードライヤー。
【請求項５】
外気導入通路（２５）の入口（３１）に、外溝（２７）の内面を受け止める複数個のリブ（３０）が形成されている請求項２、３または４記載のヘアードライヤー。
【請求項６】
複数個のリブ（３０）が、それぞれが前後方向に長い板壁で形成されて、上下多段状に配置してある請求項５記載のヘアードライヤー。
【発明の詳細な説明】
【技術分野】
【０００１】
本発明は、乾燥風を利用したベンチュリー作用によって外気を導入できる形態のヘアードライヤー、なかでも風洞筒を兼ねる本体ケースの周囲に外気取入れ口が設けられているヘアードライヤーに関する。
【背景技術】
【０００２】
この種のヘアードライヤーとして、吹出しグリルの近傍に外気取入れ口を開口した形態のものがある（特許文献１、２）。そこでは、吹出しグリルの近傍に臨む本体ケースの筒壁に、複数個の外気取入れ口を開口し、乾燥風のベンチュリー作用によって外気を導入している。このように、吹出しグリルの近傍に外気取入れ口が開口していると、ヒーターで加熱された乾燥風に、相対湿度が高い外気を混入させて髪に適度の湿気を与えながら髪の乾燥を行える。
【０００３】
【特許文献１】実開昭５１−１１０７８９号公報（第２頁、第２図）
【特許文献２】実開昭６３−８３１０４号公報（第２頁、第１図（ハ））
【発明の開示】
【発明が解決しようとする課題】
【０００４】
吹出しグリルの近傍に外気取入れ口を有するヘアードライヤーによれば、外気を乾燥風とともに髪に吹き付けることができる。しかし、外気取入れ口が吹出しグリルの近傍に存在するので、髪乾燥時に髪の一部が外気取入れ口から本体ケース内へ吸い込まれ、毛先が加熱されて髪を傷めることがある。外気取入れ口が髪で塞がれたり、あるいは本体ケースをつかんで髪乾燥を行うとき、外気取入れ口が指先や手のひらで塞がれて、外気を充分に導入できないこともある。
【０００５】
上記のような不具合を解消するには、外気取入れ口を吹出しグリルから充分に離れた位置に設けることで髪の吸い込みを抑止できるが、実際には難しい。ヒーターで加熱された乾燥風に外気を混入するには、ヒーターユニットと吹出しグリルとの間のケース周壁に外気取入れ口を設ける必要があるが、多くの場合、ヒーターユニットの端部近傍に吹出しグリルが配置してあるので、吹出しグリルから充分に離れた位置に外気取入れ口を設けることができない。例えば、ヒーターユニットの中途部外面に外気取入れ口を設けることは容易であるが、その場合には、吸い込んだ外気が加熱されて相対湿度が低下するため、湿気を補給することができない。吹出しグリルの一部が髪などで塞がれて、通風抵抗が増加するとき、乾燥風の一部が外気取入れ口から吹き出すおそれもある。
【０００６】
本発明の目的は、ヒーターで加熱された乾燥風に外気を混入できるようにしながら、髪の吸い込みを確実に防止できて、使い勝手のよいヘアードライヤーを提供することにある。本発明の目的は、本体ケースの構造強度を向上して、頑丈で壊れにくいヘアードライヤーを提供することにある。
【課題を解決するための手段】
【０００７】
本発明のヘアードライヤーは、一端に吸込み口６が開口して、他端に吹出し口７が開口している筒状の本体ケース１を備えており、その内部に、ファン９と、ファン駆動用のモーター１０と、ヒーターユニット１１とが配されている。本体ケース１の外面には、ファン９で生起した乾燥風のベンチュリー作用で外気を導入する外気導入通路２５を設ける。外気導入通路２５の出口３２が吹出し口７の周囲に開口している。外気導入通路２５の入口３１は、図２に示すように、本体ケース１の前後方向中央部と吸込み口６との間で、吸込み口６から前方へ少なくとも所定距離Ｌだけ離れた位置に開口している。
【０００８】
本体ケース１は、内ケース１Ａと、内ケース１Ａに外嵌装着される外ケース１Ｂとで二重筒状に構成し、内ケース１Ａと外ケース１Ｂとの間に、外気導入通路２５を形成することができる。
【０００９】
吹出し口７へ向かって先すぼまり状に形成した内ケース１Ａの周面には、出口３２へ向かって凹み深さが増加する内溝２６を形成し、入口３１から出口３２の近傍にわたって、内溝２６の外面を覆う外溝２７を外ケース１Ｂに膨出形成し、入口３１から出口３２に到る外気導入通路２５の断面積をほぼ同じに設定することができる。
【００１０】
内ケース１Ａには透明の外ケース１Ｂを外嵌装着し、内ケース１Ａと外ケース１Ｂとの嵌合面に装飾シート３７を介装することができる。外気導入通路２５の入口３１には、外溝２７の内面を受け止める複数個のリブ３０を形成する。複数個のリブ３０は、それぞれ前後方向に長い板壁で形成し、上下多段状に配置することができる。
【発明の効果】
【００１１】
本発明のヘアードライヤーにおいては、ファン９、モーター１０、ヒーターユニット１１などを収容する本体ケース１の外面に外気導入通路２５を設けて、その出口３２が吹出し口７の周囲で開口しているので、ファン９で生起した乾燥風のベンチュリー作用によって、外気導入通路２５から連続的に導入した外気を乾燥風とともに送出供給できる。このとき導入される外気は、過熱された乾燥風に比べて相対湿度が高いので、髪に適度の湿気を与えながら髪の乾燥や整髪を行える。
【００１２】
さらに、外気導入通路２５の入口３１は、本体ケース１の前後方向中央部と吸込み口６との間で、吸込み口６から前方へ少なくとも所定距離Ｌだけ離れた位置に開口しており、入口３１を吹出し口７から充分に離れた位置に設けてあるので、例えば髪乾燥時に髪の一部が本体ケース１の外面に被さって入口３１を塞いでしまうのをよく防止できる。本体ケース１の周面を片手でつかんでヘアードライヤーを使用する場合にも、てのひらや指先によって入口３１が塞がれるのを防止できる。
【００１３】
外気導入通路２５が、本体ケース１の外面に乾燥風の通路とは別の区画として形成されているので、外気導入通路２５の内部を常に低温状態に維持できる。したがって長い髪の一部が外気導入通路２５に吸い込まれることがあっても、髪が加熱されて傷むのを確実に防止できる。なお、本発明において、吸込み口６から前方へ所定距離Ｌだけ離れた位置とは、ファン９によって吸込み口６から吸い込まれる空気の流れによって、外気導入通路２５に入り込もうとする外気が誘引されない距離を意味する。
【００１４】
内ケース１Ａと、これに外嵌装着される外ケース１Ｂとで本体ケース１を構成して、両ケース１Ａ・１Ｂ間に外気導入通路２５が形成されていると、二重筒状の本体ケース１によってより高度の断熱作用を発揮できるので、使用時の安全性を向上し、あるいはヘアードライヤーの熱負荷を向上できる利点がある。両ケース１Ａ・１Ｂの間に形成した外気導入通路２５を通過する常温の外気によって、通路周壁とその周辺壁を低温状態に維持できるので、本体ケース１の周面をつかんだ状態でヘアードライヤーを使用する場合でも、使用者に熱さを感じさせることがない。二重筒状の本体ケース１によれば、その構造強度が向上し、その分だけ頑丈で壊れにくいヘアードライヤーを提供できる。
【００１５】
内ケース１Ａの周面に凹み形成した内溝２６と、内溝２６の外面を覆う状態で外ケース１Ｂに膨出形成した外溝２７とで外気導入通路２５を形成し、内溝２６の凹み深さを出口３２へ向かって増加し、さらに外溝２７を入口３１から出口３２の近傍にわたって膨出形成して、入口３１から出口３２に到る外気導入通路２５の断面積をほぼ同じに設定した通路構造によれば、外気導入通路２５の内部における外気の流動抵抗を小さくできるので、乾燥風のベンチュリー作用のみで外気を導入しているにもかかわらず、より効果的に外気を導入できる。また、外溝２７の膨出範囲が入口３１から出口３２の近傍に限られているので、外ケース１Ｂの前部断面を円形に形成することができ、これによりヘアードライヤーの付属品である吹出しノズル３４を外ケース１Ｂの前端に容易に外嵌装着し、装着した状態のままの吹出しノズル３４を回転操作して、乾燥風の収束方向を容易に変更できる。
【００１６】
内ケース１Ａと透明の外ケース１Ｂとの嵌合面に装飾シート３７を介装したヘアードライヤーによれば、透明の外ケース１Ｂを介して装飾シート３７を見通すことができるので、例えば、外ケース１Ｂが着色されたプラスチック成形品で形成してある場合や、装飾シート３７がケース外面に配置してある場合などに比べて、深みのある呈色状態が得られ、装飾シート３７による意匠効果が向上する。色や模様が異なる装飾シート３７をいくつか用意しておけば、デザイン上の印象が異なる複数種のヘアードライヤーを容易にシリーズ化できる利点もある。
【００１７】
外気導入通路２５の入口３１に複数個のリブ３０を設け、これらのリブ３０で外溝２７の内面を受け止める通路構造によれば、外溝２７が他物と衝突するような場合の衝撃は、リブ３０を介して内ケース１Ａにも負担させることができるので、外ケース１Ｂに膨出形成された外溝２７、なかでも入口３１の周辺壁部分が破損するのを確実に防止できる。複数個のリブ３０によって入口３１の開口が複数に区分されるので、異物が外気導入通路２５の内部に入り込むのをリブ３０で規制できる利点もある。
【００１８】
複数個のリブ３０がそれぞれ前後方向に長い板壁で形成されて、上下多段状に配置されている通路構造によれば、外気導入通路２５に吸い込まれる外気の流動方向をリブ３０の壁面に沿って整流できるので、外気導入通路２５内における外気の流れを円滑化し、乾燥風のベンチュリー作用による外気の誘引効果を増進できる。
【発明を実施するための最良の形態】
【００１９】
（実施例）  図１ないし図６は本発明に係るヘアードライヤーの実施例を示す。図２においてヘアードライヤーは、前後端が開口する横長筒状の本体ケース１と、その下面後ろ側に設けたグリップ２を備えている。
【００２０】
グリップ２の前後面には、上下スライド可能なスイッチノブ３・４を設けてあり、前側のスイッチノブ３を切り換え操作することにより、乾燥風の風量および温度を制御でき、後ろ側のスイッチノブ４を切り換え操作することによりイオン発生装置１２への通電状態をオン・オフできる。グリップ２は、軸５を介して本体ケース１に連結してあり、図２に想像線で示すように、軸５を中心にして折り畳み操作して本体ケース１に沿わせることができる。
【００２１】
図３において本体ケース１は、乾燥風の風洞を兼ねる内ケース１Ａと、内ケース１Ａに外嵌装着される外ケース１Ｂとで二重筒状に形成してあり、その後端に吸込み口６が開口し、前端に吹出し口７が開口している。
【００２２】
内ケース１Ａは、吹出し口７の側へ向かって先すぼまり状に形成されるテーパー筒体からなり、筒体の下面後部にグリップ２用の連結枠２８が一体に突出形成されている。外ケース１Ｂは、内ケース１Ａと同様の吹出し口７の側へ向かって先すぼまり状に形成した、透明プラスチック材製のテーパー筒体からなる。
【００２３】
図４において本体ケース１の内部には、吸込み口６から吹出し口７の側へ向かって、軸流型のファン９と、ファン９を駆動するモーター１０と、ヒーターユニット１１と、イオン発生装置１２とが配置してある。符号１３はモーターホルダーであり、その中央に設けた円筒状のケース内に、モーター１０と、イオン発生装置１２のトランスユニット１２ｂとを収容してある。
【００２４】
吸込み口６は、パンチングメタルで形成した吸込みグリル１６で覆われており、吹出し口７はプレス成形した吹出しグリル１７で覆われている。吹出しグリル１７の内面に組み付けた電極ホルダー１８の中央に、イオン発生装置１２の電極ユニット１２ａを装着してある。ヒーターユニット１１は、モーターホルダー１３の周囲に配置固定される６個の絶縁枠２１と、その周囲に巻き付け装着されたヒーター線２２と、ヒーター線２２の外面を覆う円筒状のカバー２３などで構成してある。
【００２５】
ヒーターユニット１１で加熱された乾燥風に、乾燥風に比べて相対湿度が高い外気を混入させるために、本体ケース１の外面の左右２箇所には外気導入通路２５が設けられている。詳しくは、図３および図４に示すように、内ケース１Ａの周面左右に内溝２６を凹み形成し、内溝２６の外面を覆う外溝２７を外ケース１Ｂに膨出形成して、これら両溝２６・２７で外気導入通路２５を形成した。
【００２６】
内溝２６は、断面が部分円弧状の溝底壁を有し、内ケース１Ａの後端寄りからケース前端にわたって形成する。内溝２６の上下幅は、溝後ろ側で大きく、溝前端に近付くほど小さく設定してある。同様に、内溝２６の凹み深さは、溝後ろ側で浅く、溝前端に近付くほど深く形成されている。内溝２６の後端寄りには、５個のリブ３０が上下多段状に一体形成してある。各リブ３０は、それぞれ前後方向に長い水平の板壁で形成されて、平行に突設してある。
【００２７】
外ケース１Ｂの前後長さは、内ケース１Ａの前後長さより短い。そのため、外ケース１Ｂを内ケース１Ａに外嵌装着した状態では、外溝２７の斜めになった後端がリブ３０の後端寄りと交差して、外気導入通路２５の入口３１を構成する。入口３１の内面をリブ３０で受け止めることにより、外溝２７が内向きに撓み変形するのをリブ３０で規制して、落下衝撃などによる外溝周壁の破損を効果的に防止できる。リブ３０は異物が外気導入通路２５へ入り込むのを防止し、外気導入通路２５に入り込む外気を整流する作用とを発揮する。
【００２８】
外溝２７の上下幅は入口３１の付近で最も大きく、先の内溝２６と同じ幅に設定され、外ケース１Ｂの前端から一定距離離れた位置において放物線状に収束している。同様に外溝２７の膨出寸法は、入口３１の付近で最も大きく、外ケース１Ｂの前端から一定距離離れた位置においてゼロとして、他の筒壁に溶け込ませてある。
【００２９】
図２において外気導入通路２５の入口３１は、本体ケース１の前後方向中央部（ａ寸法位置）と吸込み口６との間で、吸込み口６から前方へ少なくとも所定距離Ｌだけ離れた位置に開口する。所定距離Ｌとは、ファン９によって吸込み口６から吸い込まれる空気の流れによって、外気導入通路２５に入り込もうとする外気が誘引されない距離を意味する。
【００３０】
上記のように、外溝２７の膨出範囲を外ケース１Ｂの前端より後方に制限することにより、外ケース１Ｂの前部筒壁を断面円形にできるので、ヘアードライヤーの付属部品である吹出しノズル３４（図２参照）は、外ケース１Ｂの前端に容易に外嵌装着できる。装着した状態のままの吹出しノズル３４を回転操作して、乾燥風の収束方向を変更できる。
【００３１】
図４および図６に示すように、外気導入通路２５の出口３２は、吹出しグリル１７の周囲外面の左右で開口しており、出口３２の周囲は、内ケース１Ａの前端から僅かに突出する外ケース１Ｂの筒壁で囲まれている。
【００３２】
内ケース１Ａと外ケース１Ｂとの間に外気導入通路２５を形成し、内溝２６の凹み深さを出口３２へ向かって漸増させ、外溝２７の膨出寸法を入口３１に近い側ほど増加させてあると、入口３１から出口３２に到る外気導入通路２５の断面積をほぼ均等化できるので、外気導入通路２５における外気の流れを円滑化できる。
【００３３】
内ケース１Ａの左右に内溝２６を形成すると、溝壁内面がヒーター線２２の配置空間に突出する。しかし、溝壁内面と対応する個所においては、図５に示すように、ヒーター線２２が他の部分よりケース中心側に位置するので、ヒーター線２２が溝壁内面と接触干渉することはない。
【００３４】
本体ケース１は内ケース１Ａと外ケース１Ｂとで内外二重に構成するが、そのことを利用して両ケース１Ａ・１Ｂ間に装飾シート３７を配置し、外観上の装飾性アップを図っている。装飾シート３７は台形状に切断された軟質樹脂製の着色シートからなり、外気導入通路２５を除く内ケース１Ａと外ケース１Ｂとの嵌合面に介装した。
【００３５】
先に説明したように外ケース１Ｂは透明なプラスチック材で形成してあるので、外ケース１Ｂを介して装飾シート３７を見ることにより、深みのある呈色状態が得られる。必要に応じて色や模様が異なる装飾シート３７を用意しておくことにより、デザイン上の印象が異なる複数種のヘアードライヤーをシリーズ商品化できる。
【００３６】
装飾シート３７が軟質樹脂シートで形成されていると、内ケース１Ａと外ケース１Ｂとの嵌合隙間を装飾シート３７で塞ぐことができるので、外気導入通路２５内における外気の流れを整然としたものにして、外気を乾燥風に対して効果的に混入できる。
【００３７】
使用状態において、ファン９で生起された乾燥風は、ヒーターユニット１１で加熱されて温風化され、内ケース１Ａによって絞られた状態で吹出し口７から吹き出される。このとき、乾燥風のベンチュリー作用によって、外気導入通路２５の出口３２付近の空気を誘引する。出口３２付近の空気が乾燥風によって誘引されると、外気導入通路２５内の圧力が低下するため、入口３１から外気が流れ込む。このように、外気は乾燥風を利用したベンチュリー作用によって、乾燥風に混入した状態で送給され、髪に湿気を補給する。イオン発生装置１２を同時に作動させて、マイナスイオンを電極ユニット１２ａから放出する場合には、外気導入通路２５から湿気を多く含む外気が導入されるので、その湿気にマイナスイオンを付着させて、髪に適度の湿り気を与えながら整髪することができる。
【００３８】
髪の乾燥や整髪を行う場合に、髪が乾燥風に吹き飛ばされて舞い上がり本体ケース１の外面に被さることがある。こうした場合でも、吹出し口７から充分に離れた吸込み口６寄りのケース後部に入口３１が位置していると、髪が入口３１から外気導入通路２５内へ吸い込まれるのをよく防止でき、髪によって入口３１が塞がれることもない。仮に、毛先が外気導入通路２５内へ吸い込まれたとしても、通路内を通過する低温の外気に晒されるだけであるので、髪が熱によって変質することはない。吹出し口７から吹き出されたのち、頭部に当って反転した温風が、入口３１から吸い込まれるのも確実に防止できる。
【００３９】
本体ケース１の周面を片手で握って髪乾燥を行うことがあるが、本体ケース１は内ケース１Ａと外ケース１Ｂとで内外二重に構成されているので、両ケース１Ａ・１Ｂで断熱作用を発揮して、ヒーター線２２の熱が外ケース１Ｂに伝わるのを確実に防止でき、本体ケース１の周面が熱くなるのをよく防止できる。とくに、内溝２６と外溝２７の膨出壁とは、外気導入通路２５を通過する外気によって冷却されるので、左右の外溝２７の外面をつかむようにして本体ケース１の周面を握って使用すると、ヘアードライヤーを長時間にわたって連続運転するような場合でも、熱さを感じることがないうえ、外溝２７の外面に指先を掛けるとき、膨出壁が滑止めとして機能できる利点もある。
【００４０】
上記の実施例では、外気導入通路２５を本体ケース１の周面左右に設けたが、本体ケース１の周面の一個所に限って外気導入通路２５を設けてもよい。その場合の外ケース１Ｂは断面半円状に形成することができる。必要があれば、外気導入通路２５は３個以上設けることができる。
【００４１】
外気導入通路２５は内溝２６と外溝２７とで構成する必要はなく、いずれか一方の溝と溝開口を塞ぐ壁とで区画することができる。外溝２７は外側方へ膨出する部分円弧状の壁で形成する必要はなく、上下に長い断面コ字状の壁や台形状の壁で形成して、その膨出寸法を小さくしてもよい。外気導入通路２５は、本体ケース１とはパイプやダクト体などで形成することができる。リブ３０は外ケース１Ｂと一体に形成することができ、必要に応じてリブ３０を内ケース１Ａと外ケース１Ｂとに分けて形成しておき、互い違い状に隣接配置することができる。
【図面の簡単な説明】
【００４２】
【図１】本発明のヘアードライヤーの原理構造を示す一部破断平面図である。
【図２】ヘアードライヤーの側面図である。
【図３】本体ケースの分解斜視図である。
【図４】図２におけるＡ―Ａ線断面図である。
【図５】図２におけるＢ―Ｂ線断面図である。
【図６】ヘアードライヤーの正面図である。
【符号の説明】
【００４３】
１  本体ケース
１Ａ  本体ケースの内ケース
１Ｂ  本体ケースの外ケース
６  吸込み口
７  吹出し口
９  ファン
１０  モーター
１１  ヒーターユニット
２５  外気導入通路
２６  内溝
２７  外溝
３１  入口
３２  出口
【図１】
2006051181.tif 000003
【図２】
2006051181.tif 000004
【図３】
2006051181.tif 000005
【図４】
2006051181.tif 000006
【図５】
2006051181.tif 000007
【図６】
2006051181.tif 000008